(57)【要約】【課題】本発明は、オフィスや教室等での筆記や掲示等の一般的な利用の他、災害時の避難所等に設置される案内や伝言のために使用可能であり、加えて、災害時の携帯電話やスマートフォン等の充電や、照明器具の電源として利用することができるソーラーパネル付き情報記載・掲示板を提供するものである。【解決手段】本発明のソーラーパネル付き情報記載・掲示板は、各種情報を記載し又は掲示するホワイボード２と、このホワイボード２を表裏反転可能に支持する支持枠体４と、前記ホワイボード２の一部又は裏面に配置され表裏反転により表面側に表出するソーラーパネル３と、を有する構成とした。【選択図】図３
2020179542.tif 000002
【特許請求の範囲】
【請求項１】
各種情報を記載し又は掲示する情報記載・掲示板と、
この情報記載・掲示板を表裏反転可能に支持する支持枠体と、
前記情報記載・掲示板の一部又は裏面に配置され表裏反転により表面側に表出するソーラーパネルと、
を有することを特徴とするソーラーパネル付き情報記載・掲示板。
【請求項２】
各種情報を記載し又は掲示する情報記載・掲示板と、
この情報記載・掲示板を表裏反転可能に支持する支持枠体と、
前記情報記載・掲示板の一部又は裏面に配置され表裏反転により表面側に表出するソーラーパネルと、
太陽光に向けて表出させた前記ソーラーパネルからの発電電力が供給されるとともに、充電用負荷に接続する充電器と、
を有することを特徴とするソーラーパネル付き情報記載・掲示板。
【請求項３】
各種情報を記載し又は掲示するとともに、複数台列設配置した情報記載・掲示板と、
各情報記載・掲示板を表裏反転可能に支持する複数台の支持枠体と、
前記各情報記載・掲示板の裏面に配置されるとともに電気接続された複数台のソーラーパネルと、
太陽光に向けて表出させた前記各ソーラーパネルによる発電電力の充電用の蓄電池と、
前記各ソーラーパネルを表面側に表出させた状態での前記各ソーラーパネルによる発電電力の電力負荷への供給制御、前記蓄電池への充電制御、又は、前記蓄電池による蓄電電力の電力負荷への出力制御を行う充放電コントローラーと、
を含むことを特徴とするソーラーパネル付き情報記載・掲示板。
【請求項４】
前記情報記載・掲示板、ソーラーパネル、及び支持枠体は、耐環境性仕様としていることを特徴とする請求項１乃至３のいずれか１項に記載のソーラーパネル付き情報記載・掲示板。
【請求項５】
前記支持枠体は、キャスター付きで、ソーラーパネル用の傾斜角度調整機構を備えていることを特徴とする請求項１乃至４のいずれか１項に記載のソーラーパネル付き情報記載・掲示板。
【請求項６】
前記情報記載・掲示板、ソーラーパネルを支持する支持枠体は、風対策用のロープ、ペグを備えていることを特徴とする請求項１乃至５のいずれか１項に記載のソーラーパネル付き情報記載・掲示板。
【請求項７】
前記情報記載・掲示板は、ホワイトボード又は黒板であることを特徴とする請求項１乃至６のいずれか１項に記載のソーラーパネル付き情報記載・掲示板。
【請求項８】
各種情報を記載し又は掲示する情報記載・掲示板と、この情報記載・掲示板の一部又は裏面に配置したソーラーパネルと、を有することを特徴とするソーラーパネル付き情報記載・掲示板。
【請求項９】
各種情報を記載し又は掲示する情報記載・掲示板と、
前記情報記載・掲示板の一部又は裏面に配置され表裏反転により表面側に表出するソーラーパネルと、
太陽光に向けて表出させた前記ソーラーパネルからの発電電力が供給されるとともに、充電用負荷に接続する充電器と、
を有することを特徴とするソーラーパネル付き情報記載・掲示板。
【請求項１０】
各種情報を記載し又は掲示するとともに、複数台列設配置した情報記載・掲示板と、
前記各情報記載・掲示板の一部又は裏面に配置されるとともに電気接続された複数台のソーラーパネルと、
太陽光に向けて表出させた前記各ソーラーパネルによる発電電力の充電用の蓄電池と、
前記各ソーラーパネルによる発電電力の電力負荷への供給制御、前記蓄電池への充電制御、又は、前記蓄電池による蓄電電力の電力負荷への出力制御を行う充放電コントローラーと、
を有することを特徴とするソーラーパネル付き情報記載・掲示板。
【請求項１１】
前記情報記載・掲示板、ソーラーパネルは、対環境性仕様としていることを特徴とする請求項８乃至１０のいずれか１項に記載のソーラーパネル付き情報記載・掲示板。
【請求項１２】
前記情報記載・掲示板は、風対策用のロープ、錘体を備えていることを特徴とする請求項８乃至１１のいずれか１項に記載のソーラーパネル付き情報記載・掲示板。
【請求項１３】
前記情報記載・掲示板は、ホワイトボード又は黒板であることを特徴とする請求項８乃至１２のいずれか１項に記載のソーラーパネル付き情報記載・掲示板。
【発明の詳細な説明】
【技術分野】
【０００１】
本発明は、ソーラーパネル付き情報記載・掲示板に関し、詳しくは、オフィスや教室等での筆記や掲示等の一般的な利用の他、災害時の避難所等に設置される案内や伝言のために使用可能であり、加えて携帯電話やスマートフォン等の充電や、照明器具の電源として利用することができるソーラーパネル付き情報記載・掲示板に関するものである。
【背景技術】
【０００２】
一般に、災害時の避難所等には、必ずスタンドタイプ及び壁掛けタイプのホワイトボードや黒板等の情報記載・掲示板が設置される。
【０００３】
災害時の避難所等にホワイトボード等の情報記載・掲示板が設置される理由は、状況の案内や情報等を知らせたり、不明の家族、知人、友人への伝言板としての役割等、重要な機能を担っていることによる。
【０００４】
避難所等で人々が困ることの一つに、携帯電話やスマートフォンの充電がある。災害時に発生する停電によりテレビが見られず、数少ない情報源や通信手段となるのが、スマートフォンや携帯電話である。
【０００５】
すなわち、携帯電話やスマートフォンは、電気が止まっていれば勿論のこと、電気が回復してもほとんどすべての人々が毎日、充電を必要としている。
【０００６】
２０１８年９月に発生した北海道地震の際、各地の市役所等において、携帯電話やスマートフォンの充電のために長蛇の列ができたことは記憶に新しいところである。
【０００７】
すなわち、災害時には、避難所における携帯電話やスマートフォンの充電や、照明器具の電源として利用することができる電力の確保が難しく、その電力を確保するためには避難所の壁にあるわずかなコンセントから、タップコードや複数口のタップを接続し得ているのが実情である。
【０００８】
特許文献１には、ホワイトボードを使用した装置として、フレームと、このフレームに囲まれたホワイトボード部とからなるホワイトボードにより構成され、上記フレームの近傍に表示物を前面に表示した可動部材を設け、かつ、上記可動部材用のソーラーパネルを利用した駆動手段を上記ホワイトボード部に設けてなるホワイトボード装置が開示されている。
【０００９】
しかし、特許文献１のホワイトボード装置は、ホワイトボード部とソーラーパネルとを組み合わせた装置ではあるが、災害時の携帯電話やスマートフォンの充電電源や照明設備の電源に関して配慮したものではない。
【先行技術文献】
【特許文献】
【００１０】
【特許文献１】特開２００１−１６８７号公報
【発明の概要】
【発明が解決しようとする課題】
【００１１】
本発明は、上記事情に鑑みてなされたものであり、オフィスや教室等での筆記や掲示等の一般的な利用の他、災害時の避難所等に設置される案内や伝言のために使用可能であることは勿論、加えて、災害時の携帯電話やスマートフォン等の充電や、照明器具の電源として利用することができるソーラーパネル付き情報記載・掲示板を提供することを目的とする。
【課題を解決するための手段】
【００１２】
本発明のソーラーパネル付き情報記載・掲示板は、各種情報を記載し又は掲示する情報記載・掲示板と、この情報記載・掲示板を表裏反転可能に支持する支持枠体と、前記情報記載・掲示板の一部又は裏面に配置され表裏反転により表面側に表出するソーラーパネルと、を有することを最も主要な特徴とする。
【発明の効果】
【００１３】
請求項１記載の発明によれば、各種情報を記載し又は掲示する情報記載・掲示板と、この情報記載・掲示板を表裏反転可能に支持する支持枠体と、前記情報記載・掲示板の一部又は裏面に配置され表裏反転により表面側に表出するソーラーパネルと、を有する構成の基に、平常時の筆記や掲示等の一般的な利用の他、災害時の避難所等に設置される案内や伝言のために使用可能であり、加えて、災害時の携帯電話やスマートフォン等の充電や、照明器具の電源として利用することができるソーラーパネル付き情報記載・掲示板を実現し提供することができる。
【００１４】
請求項２記載の発明によれば、各種情報を記載し又は掲示する情報記載・掲示板と、この情報記載・掲示板を表裏反転可能に支持する支持枠体と、前記情報記載・掲示板の一部又は裏面に配置され表裏反転により表面側に表出するソーラーパネルと、太陽光に向けて表出させた前記ソーラーパネルからの発電電力が供給されるとともに、充電用負荷に接続する充電器と、を有する構成の基に、平常時の筆記や掲示等の一般的な利用の他、災害時の避難所等に設置される案内や伝言のために使用可能であり、加えて、特に災害時の携帯電話やスマートフォン等の充電用電源とした有効に活用することができるソーラーパネル付き情報記載・掲示板を実現し提供することができる。
【００１５】
請求項３記載の発明によれば、各種情報を記載し又は掲示するとともに、複数台列設配置した情報記載・掲示板と、各情報記載・掲示板を表裏反転可能に支持する複数台の支持枠体と、前記各情報記載・掲示板の裏面に配置されるとともに電気接続された複数台のソーラーパネルと、太陽光に向けて表出させた前記各ソーラーパネルによる発電電力の充電用の蓄電池と、前記各ソーラーパネルを表面側に表出させた状態での前記各ソーラーパネルによる発電電力の電力負荷への供給制御、前記蓄電池への充電制御、又は、前記蓄電池による蓄電電力の電力負荷への出力制御を行う充放電コントローラーと、を含む構成の基に、災害時の携帯電話やスマートフォン等の充電や、照明器具、更にはコンセント系配線設備等の電力負荷用の電源として有効に利用することができるソーラーパネル付き情報記載・掲示板を実現し提供することができる。
【００１６】
請求項４記載の発明によれば、請求項１乃至３のいずれか１項に記載の発明において、前記情報記載・掲示板、ソーラーパネル、支持枠体を、防水、防錆等の耐環境性仕様としているので、請求項１乃至３のいずれか１項に記載の発明の効果を奏し、かつ、降雨、水洗い後の再利用にも耐えることができるソーラーパネル付き情報記載・掲示板を実現し提供することができる。
【００１７】
請求項５記載の発明によれば、請求項１乃至４のいずれか１項に記載の発明において、前記支持枠体は、キャスター付きで、ソーラーパネル用の傾斜角度調整機構を備えていることから、請求項１乃至４のいずれか１項に記載の発明の効果を奏し、かつ、室内、屋外間の移動の便宜を図れるとともに、ソーラーパネルの適切な傾斜角度調整により確実に発電出力をえることができるソーラーパネル付き情報記載・掲示板を実現し提供することができる。
【００１８】
請求項６記載の発明によれば、請求項１乃至５のいずれか１項に記載の発明において、前記情報記載・掲示板、ソーラーパネルを支持する支持枠体は、風対策用のロープ、ペグを備えているので、請求項１乃至５のいずれか１項に記載の発明の効果を奏し、かつ、特に屋外設置の場合の風対策も万全なソーラーパネル付き情報記載・掲示板を実現し提供することができる。
【００１９】
請求項７記載の発明によれば、請求項１乃至６のいずれか１項に記載の発明において、前記情報記載・掲示板は、ホワイトボード又は黒板としているので、ホワイトボード・ソーラーパネルの組み合わせ、又は、黒板・ソーラーパネルの組み合わせという構成の基に、請求項１乃至６のいずれか１項に記載の発明の効果を奏するソーラーパネル付き情報記載・掲示板を実現し提供することができる。
【００２０】
請求項８記載の発明によれば、各種情報を記載し又は掲示する情報記載・掲示板と、この情報記載・掲示板の一部又は裏面に配置したソーラーパネルと、を有する単体構成で簡略な構造としているので、平常時の筆記や掲示等の一般的な利用の他、災害時の避難所等に設置される案内や伝言のために使用可能であり、加えて、災害時の携帯電話やスマートフォン等の充電や、照明器具の電源として簡略に利用することができるソーラーパネル付き情報記載・掲示板を実現し提供することができる。
【００２１】
請求項９記載の発明によれば、各種情報を記載し又は掲示する情報記載・掲示板と、前記情報記載・掲示板の一部又は裏面に配置され表裏反転により表面側に表出するソーラーパネルと、太陽光に向けて表出させた前記ソーラーパネルからの発電電力が供給されるとともに、充電用負荷に接続する充電器と、を有する簡略なシステム的な構成の基に、平常時の筆記や掲示等の一般的な利用の他、災害時の避難所等に設置される案内や伝言のために使用可能であり、加えて、特に災害時の携帯電話やスマートフォン等の充電用電源とした有効に活用することができる簡略構成のソーラーパネル付き情報記載・掲示板を実現し提供することができる。
【００２２】
請求項１０記載の発明によれば、各種情報を記載し又は掲示するとともに、複数台列設配置した情報記載・掲示板と、前記各情報記載・掲示板の一部又は裏面に配置されるとともに電気接続された複数台のソーラーパネルと、太陽光に向けて表出させた前記各ソーラーパネルによる発電電力の充電用の蓄電池と、前記各ソーラーパネルによる発電電力の電力負荷への供給制御、前記蓄電池への充電制御、又は、前記蓄電池による蓄電電力の電力負荷への出力制御を行う充放電コントローラーと、を有する構成の基に、災害時の携帯電話やスマートフォン等の充電や、照明器具、更にはコンセント系配線設備等の電力負荷用の電源として有効に利用することができる簡略構成のソーラーパネル付き情報記載・掲示板を実現し提供することができる。
【００２３】
請求項１１記載の発明によれば、請求項８乃至１０のいずれか１項に記載の発明において、前記情報記載・掲示板、ソーラーパネルは、対環境性仕様としているので、請求項８乃至１０のいずれか１項に記載の発明の効果を奏するとともに、降雨、水洗い後の再利用にも耐えることができるソーラーパネル付き情報記載・掲示板を実現し提供することができる。
【００２４】
請求項１２記載の発明によれば、請求項８乃至１１のいずれか１項に記載の発明において、前記情報記載・掲示板は、風対策用のロープ、錘体を備えているので、請求項８乃至１１のいずれか１項に記載の発明の効果を奏するとともに、特に屋外設置の場合の風対策も万全なソーラーパネル付き情報記載・掲示板を実現し提供することができる。
【００２５】
請求項１３記載の発明によれば、請求項８乃至１２のいずれか１項に記載の発明において、前記情報記載・掲示板は、ホワイトボード又は黒板としているので、ホワイトボード・ソーラーパネルの組み合わせ、又は、黒板・ソーラーパネルの組み合わせという構成の基に、請求項８乃至１２のいずれか１項に記載の発明の効果を奏するソーラーパネル付き情報記載・掲示板を実現し提供することができる。
【図面の簡単な説明】
【００２６】
【図１】図１は本発明の実施例１に係るソーラーパネル付き情報記載・掲示板のホワイトボード表出状態の概略正面図である。
【図２】図２は本実施例１に係るソーラーパネル付き情報記載・掲示板の概略側面、及び、支持枠体の脚部に設けた支柱取付穴に対する防水態様を示す図である。
【図３】図３は本実施例１に係るソーラーパネル付き情報記載・掲示板のソーラーパネル表出状態の概略斜視図である。
【図４】図４は本実施例１に係るソーラーパネル付き情報記載・掲示板におけるソーラーパネル（又はホワイトボード）、支柱間に設けた傾斜調整機構、ボード回転軸を示す部分拡大説明図である。
【図５】図５は本実施例１に係るソーラーパネル付き情報記載・掲示板におけるソーラーパネル（又はホワイトボード）、支柱間に設けた傾斜調整機構の構成を示す部分拡大説明図である。
【図６】図６は本実施例１に係るソーラーパネル付き情報記載・掲示板におけるソーラーパネル（又はホワイトボード）、支柱間に設けた傾斜調整機構によるソーラーパネル（又はホワイトボード）の傾斜支持状態を示す部分拡大説明図である。
【図７】図７は本実施例１に係るソーラーパネル付き情報記載・掲示板における傾斜調整機構の角度調整プレートに設けたダルマ穴とホワイトボード側に設けたボード固定金具との嵌合状態を示す概略説明図である。
【図８】図８は本実施例１に係るソーラーパネル付き情報記載・掲示板における傾斜角度３０度に調整したソーラーパネルの太陽光受光状態を示す概略説明図である。
【図９】図９は本実施例１に係るソーラーパネル付き情報記載・掲示板におけるホワイトボード・ソーラーパネルと、ボード枠との間のガスケットを用いた防水態様を示す概略説明図である。
【図１０】図１０は本実施例１に係るソーラーパネル付き情報記載・掲示板におけるガスケット単体の概略正面図である。
【図１１】図１１は本実施例１に係るソーラーパネル付き情報記載・掲示板のソーラーパネルを利用したスマートフォンの充電態様を示す概略斜視図である。
【図１２】図１２は本発明の実施例２に係る複数台のソーラーパネル付き情報記載・掲示板を利用した電力負荷に対する電力供給構成を示す概略説明図である。
【図１３】図１３は本発明の実施例３に係る単体からなるソーラーパネル付き情報記載・掲示板の通常使用態様、屋外設置態様を示す概略斜視図である。
【図１４】図１４は本発明の実施例４に係る単体からなるソーラーパネル付き情報記載・掲示板の通常使用態様、及び、屋外設置でソーラーパネルを利用したスマートフォンの充電態様を示す概略斜視図である。
【図１５】図１５は本発明の実施例５に係る複数台のソーラーパネル付き情報記載・掲示板を利用した電力負荷に対する電力供給構成を示す概略説明図である。
【発明を実施するための形態】
【００２７】
本発明は、オフィスや教室等での筆記や掲示等の一般的な利用の他、災害時の避難所等に設置される案内や伝言のために使用可能であり、加えて、災害時の携帯電話やスマートフォン等の充電や、照明器具の電源として利用することができるソーラーパネル付き情報記載・掲示板を提供するという目的を、各種情報を記載し又は掲示するとともに、複数台列設配置した情報記載・掲示板と、各情報記載・掲示板を表裏反転可能に支持する複数台の支持枠体と、前記各情報記載・掲示板の裏面に配置されるとともに電気接続された複数台のソーラーパネルと、太陽光に向けて表出させた前記各ソーラーパネルによる発電電力の充電用の蓄電池と、前記各ソーラーパネルを表面側に表出させた状態での前記各ソーラーパネルによる発電電力の電力負荷への供給制御、前記蓄電池への充電制御、又は、前記蓄電池による蓄電電力の電力負荷への出力制御を行う充放電コントローラーと、を含む構成により実現した。
【実施例】
【００２８】
以下、図面を参照して、本発明の実施例に係るソーラーパネル付き情報記載・掲示板について詳細に説明する。
【００２９】
（実施例１）
本発明の実施例１に係るソーラーパネル付き情報記載・掲示板１について、図１乃至図１１を参照して説明する。
【００３０】
図１、図２及び図３に示す本実施例１に係るソーラーパネル付き情報記載・掲示板１は、スタンドタイプに構成したものであり、各種情報を記載し又は掲示するとともに発電機能を有するソーラーパネル付き情報記載・掲示板１を構成する一定面積を有する平坦板状に形成したホワイトボード２と、このホワイトボード２を表裏反転可能に支持する支持枠体（スタンド）４と、前記ホワイトボード２の一部又は裏面に接合配置され表裏反転により表面側に図３に示すように表出する前記ホワイトボード２と略同面積の平坦板状に形成したソーラーパネル３と、前記支持枠体４の横バー４ａに配置されるとともに、太陽光に向けて表出させた前記ソーラーパネル３からの発電電力が電気ケーブル６を経て供給されるとともに、スマートフォンＳＰ１や図示しない携帯電話等の充電用負荷に接続する充電器５と、を有している。
【００３１】
前記支持枠体４は、各々支柱７、７を立設した一対の脚部８、８を前記ホワイトボード２の長辺寸法より僅かに大きい寸法で離隔配置するとともに、各支柱７、７の頂部近傍にボード回転軸９、９を設け、このボード回転軸９、９により前記ホワイトボード２の両短辺中央部を表裏反転可能に支持し、更に、前記ホワイトボード２の長辺最下端より下方の位置において前記支柱７、７間に横バー４ａを架設した構成としている。
【００３２】
前記支柱７、７には取り付け穴４ｃが設けられ、これにより前記横バー４ａの取り付けをしている。
【００３３】
前記横バー４ａの一方の端部には、スマートフォンＳＰ１等用の充電器５を配置するとともに、前記横バー４ａの近傍位置には前記ホワイトボード２の下方に臨む粉受け部４ｂを設けている。
【００３４】
また、前記一対の脚部８、８の両端位置には校庭等のような未舗装地面での使用・移動や、玄関領域等のような大きな段差を乗り越えるためのキャスター１０を２個ずつ配置するとともに、一対の脚部８、８の中央位置に設けた支柱取付穴８ａの位置で例えばボルト等を用いて前記支柱７、７の下端部を固定支持するように構成している。
【００３５】
前記支柱７、７における前記横バー４ａの両端位置の近傍には、前記ホワイトボード２用の左右一対の位置調整可能なストッパー１２、１２を配置している。
【００３６】
更に、前記支持枠体４、ホワイトボード２間には、ソーラーパネル３を太陽光の方向に向けて適切な傾斜角度で配置するための左右一対の傾斜角度調整機構１１、１１を配置している。
【００３７】
前記ホワイトボード２、ソーラーパネル３、支持枠体４は、詳細は後述するが各々耐環境性仕様としている。
【００３８】
すなわち、これらは各々直射日光に対する耐久性対策、降雨対策、水による丸洗い対策（再使用対策）として、防水・防錆加工を施している。
【００３９】
次に、図４乃至図１０をも参照して、前記傾斜角度調整機構１１、耐環境性仕様について詳述する。
【００４０】
前記傾斜角度調整機１１は、図４乃至図８に示すように構成している。
【００４１】
すなわち、図４は本実施例１に係るソーラーパネル付き情報記載・掲示板１におけるソーラーパネル３（又はホワイトボード２）のボード枠１３、支柱７間に設けた傾斜調整機構１１と、ソーラーパネル３（又はホワイトボード２）用のボード回転軸９を示すものであり、前記ボード回転軸９によりソーラーパネル３（又はホワイトボード２）のボード枠１３を表裏回転可能に支持している。
【００４２】
また、前記支柱７の壁面に対して角度調整プレート１５の一端を、角度調整プレート回動支持軸１６を介して回動可能に支持し、また、ソーラーパネル３（又はホワイトボード２）のボード枠１３に対して前記角度調整プレート１５の他端をボード側回動支持軸１７に係合させてボード枠１３を傾斜配置に支持するように構成している。
【００４３】
このような傾斜角度調整機構１１は、前記ソーラーパネル３（又はホワイトボード２）の両側で左右一対構成としている。
【００４４】
前記角度調整プレート１５の他端側には、図５、図６に示すように、他端側近傍に大径穴１８ａを、その内方に溝穴１８ｂを設け、これらを連通させたダルマ穴１８を設けている。
【００４５】
そして、前記ソーラーパネル３（又はホワイトボード２）の傾斜角度調整に際しては、図５に示すように、前記角度調整プレート１５を前記支柱７側から前記ソーラーパネル３（又はホワイトボード２）のボード枠１３側に回動作させ、ボード側回動支持軸１７にダルマ穴１８を嵌め込み、ボード枠１３を傾斜配置でしっかりと固定支持する。
【００４６】
このような操作は前記ソーラーパネル３（又はホワイトボード２）の両側で左右同様に実行される。
【００４７】
図７は、前記角度調整プレート１５のダルマ穴１８と、ボード側回動支持軸１７との嵌め込み状態の推移を示すものである。
【００４８】
すなわち、前記ボード側回動支持軸１７がダルマ穴１８の溝穴１８ｂ内にしっかりと結合するようにボード枠１３を変位させ、動かない状態とするものである。
【００４９】
図８は、前記傾斜角度調整機構１１により傾斜角度３０度に調整したソーラーパネル３の太陽光受光状態を示すものである。
【００５０】
前記ソーラーパネル３の最適な傾斜角度は各地の日射条件により異なるが、通常３０度とすることが良いとされており、本実施例１ではソーラーパネル３の傾斜角度を３０度にした例を挙げているが特に限定するものではない。
【００５１】
次に、本実施例１における各要素の耐環境性仕様について図９、図１０をも参照して説明する。
【００５２】
図９は本実施例１に係るソーラーパネル付き情報記載・掲示板１におけるホワイトボード２・ソーラーパネル３と、ボード枠１３との間のガスケット１９を用いた防水態様を示すものであり、図１０はガスケット１９単体の概略正面を示すものである。
【００５３】
前記ホワイトボード２は通常室内使用が前提であり防水機能は有しない。そこで、本実施例１においては、図９に示すように、ソーラーパネル付き情報記載・掲示板１におけるホワイトボード２の例えば発泡スチロール板等からなる芯材２０と、鉄板等からなる表面材２１ａ、２１ａと、ホワイトボード２の裏面側のソーラーパネル３との重合部分の端部と、ボード枠１３との接合領域に、防水用の角形凸状を呈するガスケット１９を介在させて、屋外使用時の降雨や水洗い等に対する防水仕様としたものである。
【００５４】
これにより、特に降雨や水洗い時において前記芯材２０を保護することができる。
【００５５】
この他、本実施例１における防水仕様としては、前記支柱７の頂部に支柱キャップ２２を取り付けたり、前記ボード回転軸９に防水用のガスケットを付加したり、前記支柱取付穴８ａをゴム製のグロメットで塞いだり、前記横バー４ａの取り付け穴４ｃをゴム製のグロメットで塞いだりする例を挙げることができる。
【００５６】
本実施例１における防錆仕様について説明する。
【００５７】
本実施例１においては、屋外使用の錆止め塗料により、ソーラーパネル付き情報記載・掲示板１の金属部分、例えば支持枠体４の金属部分、ホワイトボード２やソーラーパネル３の金属部分を塗装して防錆仕様とするものである。
【００５８】
次に、図１１を参照して、本実施例１に係るソーラーパネル付き情報記載・掲示板１の具体的使用態様について説明する。
【００５９】
前記ソーラーパネル付き情報記載・掲示板１の通常時の使用態様（室内設置）から、災害時においてはこのソーラーパネル付き情報記載・掲示板１を例えば避難所の校庭等の屋外へ前記キャスター１０を利用して移動する。
【００６０】
そして、前記ストッパー１２を外し、ホワイトボード２を表裏反転させ、ソーラーパネル３を太陽光の方向に向けて適切な傾斜角度となるように傾斜角度調整機構１１により調整し固定する。
【００６１】
これにより、前記ソーラーパネル付き情報記載・掲示板１のソーラーパネル３により太陽光を利用した発電電力を得て、前記ケーブル６を経て充電器５に供給し、図３に示すように、例えば充電用負荷である３台のスマートフォンＳＰ１〜ＳＰ３（又は図示しない携帯電話）の充電ケーブル１３Ａ〜１３Ｃを経て前記各スマートフォンＳＰ１〜ＳＰ３を効率良く充電することができる。
【００６２】
また、前記ホワイトボード２、ソーラーパネル３、支持枠体４の耐環境性仕様によって、直射日光、降雨、水洗い等に対する耐久性を向上させるとともに、災害使用後、水で丸洗いし屋内での再使用を可能にすること等の効果を発揮させることができる。
【００６３】
（実施例２）
次に、本発明の実施例２について図１２を参照して説明する。
【００６４】
図１２は、本発明の実施例２に係る前記ソーラーパネル付き情報記載・掲示板１と略同様な構成としたソーラーパネル付き情報記載・掲示板１Ａの複数台（図１２においては例えば８台）を、例えば災害時において避難所の校庭等に列設し、例えば避難所の照明設備、コンセント系設備、スマートフォン等の充電設備等のような電力負荷２４に対する電力供給を行うシステム的な構成を示すものである。
【００６５】
本実施例２においては、前記ソーラーパネル付き情報記載・掲示板１Ａは前記充電器５を除外した構成としている。
【００６６】
また、前記ホワイトボード２、ソーラーパネル３、支持枠体４に関する耐環境性仕様の点も実施例１の場合と同様である。
【００６７】
なお、図１２においては、各ソーラーパネル３を太陽光に向けて表出させた状態を示し、ホワイトボード２については図示省略している。
【００６８】
更に、本実施例２においては、太陽光に向けて表出させた各ソーラーパネル３による発電電力の充電用の蓄電池２５と、前記各ソーラーパネル３による発電電力の電力負荷２４への供給制御、前記蓄電池２５への充電制御、又は、前記蓄電池２５による蓄電電力の電力負荷２４への出力制御を行う充放電コントローラー２３と、各ソーラーパネル３の発電電力を充放電コントローラー２３へ送電し、かつ、車両等の走行の安全性を考慮しつつ配置した電力ケーブル２６と、を含み、実施例１の場合に比べより大電力を得ることができる構成としている。
【００６９】
本実施例２における各ソーラーパネル付き情報記載・掲示板１Ａの避難所の校庭等に対する配置態様、各ソーラーパネル３を太陽光に向ける操作態様は実施例１の場合と同様である。
【００７０】
本実施例２によれば、実施例１の場合に比べより大電力を得て、例えば避難所の照明設備、コンセント系配線設備、スマートフォン等用の充電設備等へ電力供給を行うことができ、多くの避難者の電力利用に資することができる。
【００７１】
また、前記蓄電池２５による蓄電電力によって、例えば避難所の夜間における電力利用を支援することもできる。
【００７２】
更にまた、各ソーラーパネル付き情報記載・掲示板１Ａに関して、ホワイトボード２、ソーラーパネル３、支持枠体４の耐環境性仕様によって、直射日光、降雨、水洗い等に対する耐久性を向上させるとともに、災害使用後、水で丸洗いし屋内での再使用を可能にすること等の効果を発揮させることができることも実施例１の場合と同様である。
【００７３】
（実施例３）
次に、本発明の実施例３について図１３を参照して説明する。
【００７４】
本実施例３においては、実施例２のソーラーパネル付き情報記載・掲示板１Ａと略同様な構成の単体のソーラーパネル付き情報記載・掲示板１Ｂを使用し、かつ、このソーラーパネル付き情報記載・掲示板１Ｂの支持枠体４における一方の支柱７に災害時用ボックス４１を取り付け、この内部にロープ４２、ペグ４３、更には図示しないハンマー、取扱説明書等を収納した構成としたものである。
【００７５】
図１３左欄は平常時においてホワイトボード２を表面側に表出させ、図１３右欄は災害時においてソーラーパネル３を表面側に表出させた態様を示している。
【００７６】
本実施例３におけるソーラーパネル付き情報記載・掲示板１Ｂの避難所の校庭等に対する配置態様、ソーラーパネル３を太陽光に向ける操作態様は実施例１の場合と同様であるが、本実施例３においては、屋外配置の際に耐風対策として、例えば支持枠体４の２箇所以上、ソーラーパネル３（又はホワイトボード２）の４箇所以上をロープ４２とペグ４３とを使用して地面に固定するようにしたことが特徴である。
【００７７】
また、前記ホワイトボード２、ソーラーパネル３、支持枠体４に関する耐環境性仕様の点は実施例１の場合と同様である。
【００７８】
本実施例３のソーラーパネル付き情報記載・掲示板１Ｂによれば、実施例１の場合と同様、前記ソーラーパネル３により太陽光を利用した発電電力を得て、同図には示さないスマートフォンや携帯電話を効率良く充電することができる。
【００７９】
また、前記ホワイトボード２、ソーラーパネル３、支持枠体４の耐環境性仕様によって、直射日光、降雨、水洗い等に対する耐久性を向上させるとともに、災害使用後、水で丸洗いし屋内での再使用を可能にすること等の効果を発揮させることができる。
【００８０】
（実施例４）
次に、本発明の実施例４について図１４を参照して説明する。
【００８１】
本実施例４においては、支持枠体４が存在せずホワイトボード２、ソーラーパネル３を重合した構成のソーラーパネル付き情報記載・掲示板１Ｃを、平常時において図１４左欄に示すようにホワイトボード２を表面側に表出させた状態とし、屋内の壁面５１から吊り下げ用フック５２、吊り金具５３等を用いた吊り下げ構造としたものである。
【００８２】
また、災害時には前記ソーラーパネル付き情報記載・掲示板１Ｃを表裏反転し、図１４右欄に示すようにソーラーパネル３を表面側に表出させた状態とし、校庭等の屋外において何らかの物体５４の壁面５４ａへ適切な傾斜角度で立て掛け、更にロープ５５、ブロック材等の錘体５６にソーラーパネル３を固定状態とし、この状態で太陽光をソーラーパネル３に入射して発電出力を得て、ソーラーパネル３の隅部に設けた実施例１の場合と同様な充電器５に供給し、例えば充電用負荷である３台のスマートフォンＳＰ１〜ＳＰ３（又は図示しない携帯電話）の充電ケーブル１３Ａ〜１３Ｃを経て前記各スマートフォンＳＰ１〜ＳＰ３を効率良く充電するように構成したものである。
【００８３】
本実施例４によれば、ソーラーパネル付き情報記載・掲示板１Ｃからなる簡略な単体構成で、災害時においてスマートフォンＳＰ１等や図示しない携帯電話の充電用として活用でき、多くの被災者の便宜を図ることができる。
【００８４】
また、前記ホワイトボード２、ソーラーパネル３を既述した場合と同様な耐環境性仕様とすることによって、直射日光、降雨、水洗い等に対する耐久性を向上させるとともに、災害使用後、水で丸洗いし屋内での再使用を可能にすること等の効果を発揮させることができる。
【００８５】
（実施例５）
次に、本発明の実施例５について図１５を参照して説明する。
【００８６】
本実施例５においては、実施例４の構成を拡張しより大電力を得ることができるシステム的な構成としたものである。
【００８７】
すなわち、本実施例５においては、前記ソーラーパネル付き情報記載・掲示板１Ｃと略同様な構成としたソーラーパネル付き情報記載・掲示板１Ｄの複数台（図１５においては例えば４台）を、例えば災害時において避難所の校庭等における何らかの物体５４の壁面５４ａへソーラーパネル３を表出させた状態で、かつ、適切な傾斜角度で立て掛け、更にロープ５５、ブロック材等の錘体５６によりソーラーパネル３を固定状態とし、例えば避難所の照明設備、コンセント系設備、スマートフォン等の充電設備等のような電力負荷２４に対する電力供給を行うシステム的な構成としたものである。
【００８８】
前記ホワイトボード２、ソーラーパネル３に関する耐環境性仕様の点は実施例１の場合と同様である。
【００８９】
更に、本実施例５においては、太陽光に向けて表出させた各ソーラーパネル３による発電電力の充電用の蓄電池２５と、前記各ソーラーパネル３による発電電力の電力負荷２４への供給制御、前記蓄電池２５への充電制御、又は、前記蓄電池２５による蓄電電力の電力負荷２４への出力制御を行う充放電コントローラー２３と、各ソーラーパネル３の発電電力を充放電コントローラー２３へ送電し、かつ、車両等の走行の安全性を考慮しつつ配置した電力ケーブル２６と、を含み、実施例４の場合に比べより大電力を得ることができる構成としている。
【００９０】
本実施例５によれば、実施例４の場合に比べより大電力を得て、例えば避難所の照明設備、コンセント系配線設備、スマートフォン等用の充電設備等へ電力供給を行うことができ、多くの避難者の電力利用に資することができる。
【００９１】
また、前記蓄電池２５による蓄電電力によって、例えば避難所の夜間における電力利用を支援することもできる。
【００９２】
更にまた、各ソーラーパネル付き情報記載・掲示板１Ａに関して、ホワイトボード２、ソーラーパネル３の耐環境性仕様によって、直射日光、降雨、水洗い等に対する耐久性を向上させるとともに、災害使用後、水で丸洗いし屋内での再使用を可能にすること等の効果を発揮させることができることも実施例４の場合と同様である。
【００９３】
なお、上述した各実施例においては、ホワイトボード２を含む構成について説明したが、ホワイトボード２の替りに黒板を採用した構成でも勿論同様に実施可能である。
【産業上の利用可能性】
【００９４】
本発明のソーラーパネル付き情報記載・掲示板は、地震や津波等の災害時における避難所等の災害時における情報記載・掲示用として、また、災害時緊急電力供給用として広範に利用可能である。
【符号の説明】
【００９５】
１    ソーラーパネル付き情報記載・掲示板
１Ａ  ソーラーパネル付き情報記載・掲示板
１Ｂ  ソーラーパネル付き情報記載・掲示板
１Ｃ  ソーラーパネル付き情報記載・掲示板
１Ｄ  ソーラーパネル付き情報記載・掲示板
２    ホワイトボード
３    ソーラーパネル
４    支持枠体
４ａ  横バー
４ｂ  粉受け部
４ｃ  取り付け穴
５    充電器
６    電気ケーブル
７    支柱
８    脚部
８ａ  支柱取付穴
９    ボード回転軸
１０    キャスター
１１    傾斜角度調整機構
１２    ストッパー
１３    ボード枠
１３Ａ  充電ケーブル
１３Ｂ  充電ケーブル
１３Ｃ  充電ケーブル
１５    角度調整プレート
１６    角度調整プレート回動支持軸
１７    ボード側回動支持軸
１８    ダルマ穴
１８ａ  大径穴
１８ｂ  溝穴
１９    ガスケット
２０    芯材
２１ａ  表面材
２２    支柱キャップ
２３    充放電コントローラー
２４    電力負荷
２５    蓄電池
２６    電力ケーブル
４１    災害時用ボックス
４２    ロープ
４３    ペグ
５１    壁面
５２    吊り下げ用フック
５３    吊り金具
５４    物体
５４ａ  壁面
５５    ロープ
５６    錘体
ＳＰ１    スマートフォン
ＳＰ２    スマートフォン
ＳＰ３    スマートフォン
【図１】
2020179542.tif 000003
【図２】
2020179542.tif 000004
【図３】
2020179542.tif 000005
【図４】
2020179542.tif 000006
【図５】
2020179542.tif 000007
【図６】
2020179542.tif 000008
【図７】
2020179542.tif 000009
【図８】
2020179542.tif 000010
【図９】
2020179542.tif 000011
【図１０】
2020179542.tif 000012
【図１１】
2020179542.tif 000013
【図１２】
2020179542.tif 000014
【図１３】
2020179542.tif 000015
【図１４】
2020179542.tif 000016
【図１５】
2020179542.tif 000017